(57)【要約】      （修正有）【課題】飲食メニュー全体を見るのに手間がかかるため注文までに時間がかかり、また、年配者等はメニューの文字が小さくて見にくく、更に日本語が分からない外国人には外国語のメニューを用意しなくてはならず、また、顧客自身の注文品と店舗で認識している注文品とが相違することがあると言った問題を解決する飲食メニューを提供する。【解決手段】全ての情報が一面に表示された飲食メニューであって、複数の選択種別が上から下に区分され、それぞれの選択種別毎に複数の選択肢をアイコン化した複数の画像が横方向に並んで表示され、顧客は上方向から下方向へと選択種別毎に一つの画像を順番に選択して注文することを特徴とする。【選択図】図２
0003217743.tif 000002
【実用新案登録請求の範囲】
【請求項１】
全ての情報が一面に表示された飲食メニューであって、複数の選択種別が上から下に区分され、それぞれの選択種別毎に複数の選択肢をアイコン化した複数の画像が横方向に並んで表示され、顧客は上方向から下方向へと選択種別毎に一つの画像を順番に選択して注文することを特徴とする飲食メニュー。
【請求項２】
全ての情報が一面に表示された飲食メニューであって、複数の選択種別が左から右に区分され、それぞれの選択種別毎に複数の選択肢をアイコン化した複数の画像が縦方向に並んで表示され、顧客は左方向から右方向へと選択種別毎に一つの画像を順番に選択して注文することを特徴とする飲食メニュー。
【請求項３】
全ての情報が一面に表示された飲食メニューであって、複数の選択種別が右から左に区分され、それぞれの選択種別毎に複数の選択肢をアイコン化した複数の画像が縦方向に並んで表示され、顧客は右方向か左方向へと選択種別毎に一つの画像を順番に選択して注文することを特徴とする飲食メニュー。
【請求項４】
全ての情報が一面に表示された飲食メニューであって、選択種別１、選択種別２及び選択種別３を有し、前記飲食メニューの上部には、選択種別１の複数の選択肢をアイコン化した複数の画像が横方向に並んで表示され、その下には選択種別２の複数の選択肢と選択種別３の複数の選択肢をマトリクス状に合成しアイコン化した複数の画像が表示され、顧客は選択種別１で一つの画像を選択した後、前記マトリクス状に合成しアイコン化した複数の画像の内、一つの画像を選択して注文することを特徴とする飲食メニュー。
【請求項５】
前記飲食メニューが付いた券売機であって、顧客が前記画像を選択した後、表示されている金額以上の金額を入れると、お釣りと共にチケットが出力されて注文が完了することを特徴とする請求項１〜４のいずれか１項に記載の飲食メニュー付券売機。
【請求項６】
前記飲食メニューが付いた発券機であって、顧客が前記画像を選択した後、チケットが出力されて注文が完了することを特徴とする請求項１〜４のいずれか１項に記載の飲食メニュー付発券機。
【請求項７】
前記飲食メニューであって、顧客が前記画像を選択した後、回収することで注文が完了することを特徴とする請求項１〜４のいずれか１項に記載の飲食メニュー。
【考案の詳細な説明】
【技術分野】
【０００１】
本考案は、飲食店及び弁当販売等で顧客に提示する飲食メニューに関するものである。
【背景技術】
【０００２】
レストラン、食堂、弁当屋等においては種々な飲食メニューが用いられている。
一般に用いられている飲食メニューは数ページにわたって様々な料理がそれぞれの料理毎に金額と共に個別に表示されている。
また、特許文献１では客と料理店の双方が料理注文時に於ける意思疎通を円滑に行うために料理ガイドや料理ガイド検索装置が記載されている。
【先行技術文献】
【特許文献】
【０００３】
【特許文献１】特開２０００−３７９７３号公報
【考案の概要】
【考案が解決しようとする課題】
【０００４】
しかしながら、この場合以下の問題点がある。
飲食メニューには様々な料理内容が表示されるが、これら全体を確認するのに手間がかかり注文するまでに時間がかかってしまう。例えば、中華麺を注文するにしても、まずはメニューのどのページに中華麺が表示されているか探さなくてはならない。また、ラーメン（温かい中華麺）と冷やし中華（冷たい中華麺）などは同じ中華麺でも通常はメニューの異なった箇所に表示される。価格についても料理毎にそれぞれ異なるので、料理を選択する際にはそれぞれの価格も同時に考慮しながら選択する必要がある、同様に具の種類等についても色々と検討しなくてはならない。
これまでのメニューではこのような意思決定するまでの心理的過程を殆ど考慮していないので、メニューを見れば見るほど迷いが生じてしまい、どの料理にするか決断するのに時間がかかってしまう。
また、子どもや年配者等にとってはメニューの文字が読めなかったり、小さくて見にくかったりするし、日本語が分からない外国人には外国語のメニューを用意しなくてはならない。
さらに、顧客が認識している注文品と店舗で認識している注文品とが相違することがあり、それがトラブルの原因となることがある。
また、朝昼晩で異なるメニューであったり、メニューを外部に持ち出せなくしたり、とメニューの管理に手間がかかる。
【０００５】
本考案は、上記問題を解決することを目的とする。
【課題を解決するための手段】
【０００６】
上記課題を解決するために、請求項１の考案は全ての情報が一面に表示された飲食メニューであって、複数の選択種別が上から下に区分され、それぞれの選択種別毎に複数の選択肢をアイコン化した複数の画像が横方向に並んで表示され、顧客は上方向から下方向へと選択種別毎に一つの画像を順番に選択して注文することを特徴とする。
【０００７】
飲食メニューを上記のように構成したから、全ての料理を同時に検討しなくても、それぞれ選択種別（料理の種類や内容等）、例えば、温かい料理か冷たい料理か、麺の種類（そば、うどん、中華麺等）、具の種類（牛肉、豚肉、鶏肉、山菜等）等に合わせて順番に選択することができるので、心理的な負担がなくなりスムーズに注文することが可能になる。また、そのことで注文時間を少なくすることができる。
なお、請求項１における「選択肢」とは、この場合「温かい」、「冷たい」や「そば」、「うどん」、「中華麺」や「牛肉」、「豚肉」、「鶏肉」、「山菜」に相当する。
また、メニューの選択肢がアイコン画像で表示されるので、文字を判断することができなくても、メニューで表示された料理内容を理解することができる。別途外国人等に対応したメニューを用意する必要もない。
また、全ての料理内容が一面に表示されるので、メニュー全体を容易に確認することができる。
【０００８】
特に請求項１の考案は、上方向から下方向へと迷わず順番に選択することができスムーズにミスの少ない注文をすることができる。
なお、本考案にて「アイコン化した画像」、「アイコン画像」、「画像」及び「アイコン」は同じ意味で用いている。
また、本考案の「飲食メニュー」及び「メニュー」は、料理用メニューだけでなくドリンク用のメニューも含まれる。
【０００９】
請求項２の考案は、全ての情報が一面に表示された飲食メニューであって、複数の選択種別が左から右に区分され、それぞれの選択種別毎に複数の選択肢をアイコン化した複数の画像が縦方向に並んで表示され、顧客は左方向から右方向へと選択種別毎に一つの画像を順番に選択して注文することを特徴とする。
こうすることで、前記請求項１の考案と同様の作用効果が得られ、特に請求項２の考案は、左方向から右方向へと迷わず順番に選択することができスムーズにミスの少ない注文をすることができる。
【００１０】
請求項３の考案は、全ての情報が一面に表示された飲食メニューであって、複数の選択種別が右から左に区分され、それぞれの選択種別毎に複数の選択肢をアイコン化した複数の画像が縦方向に並んで表示され、顧客は右方向か左方向へと選択種別毎に一つの画像を順番に選択して注文することを特徴とする。
こうすることで、前記請求項１の考案と同様の作用効果が得られ、特に請求項３の考案は、右方向から左方向へと迷わず順番に選択することができスムーズにミスの少ない注文をすることができる。
【００１１】
請求項４の考案は、全ての情報が一面に表示された飲食メニューであって、選択種別１、選択種別２及び選択種別３を有し、前記飲食メニューの上部には、選択種別１の複数の選択肢をアイコン化した複数の画像が横方向に並んで表示され、その下には選択種別２の複数の選択肢と選択種別３の複数の選択肢をマトリクス状に合成しアイコン化した複数の画像が表示され、顧客は選択種別１で一つの画像を選択した後、前記マトリクス状に合成しアイコン化した複数の画像の内、一つの画像を選択して注文することを特徴とする。
こうすることで、前記請求項１の考案と同様の作用効果が得られ、特に請求項４の考案は、選択種別２の複数の選択肢と選択種別３の複数の選択肢がマトリクス状に合成されており、そのように合成された選択肢のそれぞれをアイコン化した複数の画像が表示されている。
そのため、顧客は選択種別１を選択した後、選択種別２と選択種別３が合成されたものを選択すればよいので、合計２回の選択だけで３つの選択種別を選択することができ、選択回数を減らすことができる。
【００１２】
請求項５の考案は、前記飲食メニューが付いた券売機であって、顧客が前記画像を選択した後、表示された金額以上の金額を入れると、お釣りと共にチケットが出力されて注文が完了することを特徴とする。
こうすることで、注文品に対応したチケットが発券され、それを顧客側で確認することができるので顧客と店舗との認識が一致する。また、メニューが外部に持ち出されたり、顧客毎にメニューを配布したりする必要がなくなるのでメニューの管理がしやすくなる。
なお、本考案において、金額投入前に確認ボタンを押すようにしてもよく、この場合ボタンとは押しボタン等のボタン形状のものだけでなく、画像としてのボタン（アイコン）も含むものとして記載している。  
【００１３】
請求項６の考案は、前記飲食メニューが付いた発券機であって、顧客が前記画像を選択した後、チケットが出力されて注文が完了することを特徴とする。
こうすることで、券売機と異なりお金のやりとりは注文時に行わなくて良くなり、注文品に対応したチケットが発券され、それを顧客側で確認することができるので顧客と店舗との認識が一致する。また、機械全体の構成をシンプルにすることができ、製造コストや故障等が少なくなる。また、メニューが外部に持ち出されたり、顧客毎にメニューを配布したりする必要がなくなるのでメニューの管理がしやすくなる。
【００１４】
請求項７の考案は、前記飲食メニューであって、顧客が前記画像を選択した後、回収することで注文が完了することを特徴とする。
こうすることで、メニューが回収され、顧客がメニューを外部に持ち出したり、古いメニューが置きっぱなしだったりということを無くすことができる。また、券売機と異なりお金のやりとりを注文時に行わなくて良くなる。
なお、本考案の「回収」とはメニューが紙等の場合には店舗側が顧客からこれらを物理的に回収することを意味するが、後述するようにメニューが端末やスマートフォンの表示画面に表示される場合には、顧客の選択した注文内容の情報が店舗側に電気通信等の手段で伝達され店舗側でその内容を把握することをいう。
【考案の効果】
【００１５】
上述のように、本考案のメニューは選択種別毎に順番に選択することで顧客の負担を無くし、注文時間を短くすることができる。また、チケットを発券することによって、顧客と店側との注文内容に対する認識が同じになる。また、メニューを回収等することで管理しやすくなり、不要なトラブルを避けることができる。
【図面の簡単な説明】
【００１６】
【図１】本願考案の第１実施形態
【図２】本願考案の第１実施形態（具体例１）
【図３】本願考案の第１実施形態（具体例２）
【図４】本願考案の第２実施形態
【図５】本願考案の第３実施形態
【図６】本願考案の第４実施形態
【図７】本願考案の第５実施形態
【図８】本願考案の第５実施形態（具体例３）
【図９】本願考案の第５実施形態（具体例４）
【考案を実施するための形態】
【００１７】
以下、図１、２及び３に従って本願考案の第１実施形態を説明する。
なお、図１のメニュー形状は横長、図２、３のメニュー形状は縦長であるが、これらメニュー形状は横長、縦長、正方形、楕円、円、星形等いかなる形状であってもよい。
【００１８】
図１で示すように顧客は、まず一番上の選択種別を示すボタン１（選択肢）またはボタン１’のいずれかを選択する。ボタンには顧客がその内容を容易に理解できるように実際にはアイコンが表示されるが、図１では説明しやすいようにアイコンは表示していない。アイコンについて、例えば図２（第１の実施形態（具体例１））で示すように一番上の選択種別は温度に関するものであり、左側から順に、ボタン１には冷たいことを示すアイコンが表示され、ボタン１’には温かいことを示すアイコンが表示されている。アイコンのみが表示されていてもよいが、図２で示すようにアイコンと共にアイコンを説明する文字が記載されていてもよい。なお、文字そのものをアイコン化した画像としてもよい。
この実施形態ではボタンは２個だが、ボタンは２個以上であればよい。ただし、いずれにしても同じ選択種別の選択範囲が横方向のみであることを認識することができるように選択種別が同じボタンは横方向に並んで配置されている。
【００１９】
ボタン１またはボタン１’の選択が終了したら、続いて、図１の矢印６に導かれて、次の選択種別を示すボタン２、ボタン２’またはボタン２’’のいずれかを選択する。これらのボタンも前記同様に顧客がその内容を容易に理解できるようにアイコンが表示されている。例えば、図２で示すように次の選択種別は麺の種類に関するものであり、左側から順に、ボタン２にはそばを示すアイコンが表示され、ボタン２’にはうどんを示すアイコンが表示され、ボタン２’’には中華麺を示すアイコンが表示されている。前記同様にアイコンのみが表示されていてもよいが、図２で示すようにアイコンと共にアイコンを説明する文字が記載されていてもよい。なお、文字そのものをアイコン化した画像としてもよい。
この実施形態ではボタンは３個だが、ボタンは２個以上あればよい。また、前記同様に同じ選択種別の選択範囲が横方向のみであることを認識することができるように選択種別が同じボタンは横方向に並んで配置されている。
【００２０】
ボタン２、ボタン２’またはボタン２’’の選択が終了したら、続いて、図１の矢印６’に導かれて、３番目の選択種別を示すボタン３、ボタン３’、ボタン３’’またはボタン３’’’のいずれかを選択する。これらのボタンも前記同様に顧客がその内容を容易に理解できるようにアイコンが表示されている。例えば、図２で示すように３番目の選択種別は具の種類に関するものであり、左側から順に、ボタン３には鶏肉を示すアイコンが表示され、ボタン３’には豚肉を示すアイコンが表示され、ボタン３’’には牛肉を示すアイコンが表示され、ボタン３’’’には山菜を示すアイコンが表示されている。前記同様にアイコンのみが表示されていてもよいが、図２で示すようにアイコンと共にアイコンを説明する文字が記載されていてもよい。なお、文字そのものをアイコン化した画像としてもよい。
この実施形態ではボタンは４個だが、ボタンは２個以上あればよい。また、前記同様に同じ選択種別の選択範囲が横方向のみであることを認識することができるように選択種別が同じボタンは横方向に並んで配置されている。
【００２１】
ボタン３、ボタン３’、ボタン３’’またはボタン３’’’の選択が終了したら、続いて、図１の矢印６’’に導かれて、金額表示部４により金額の確認を行う。この金額は図２のようにどのボタンを選択しても一定額（例えば７００円）が表示されていてもよいし、押したボタンの組み合わせによって金額が変化するようにしてもよい。常に一定額が表示されている場合には、原則として同一価格が前提となるので、顧客は価格を気にせずに料理の選択に集中して注文することができる。
図２では表示された金額（７００円）以上を不図示の投入口に入れると、お釣りと共にチケットが出力され注文が確定するように構成されている。
なお、金額の表示箇所を確認ボタン４に構成し、これを選択した後、表示された金額以上を不図示の投入口に入れると、お釣りと共にチケットが図１で示すようなチケット排出口５から出力され注文が確定するように構成されていてもよい。
なお、この場合確認ボタンは金額の表示箇所とは異なった場所にあってもよい。
また、本考案の実施形態は前述のようなお金のやり取りを行う券売機だけでなく、お金のやり取りを行わない発券機や飲食メニューそのものも含むものである。
【００２２】
チケットには、注文したボタンの組み合わせ、例えば「温そば牛肉」、「冷うどん山菜」等、が記載されてもよいし、注文番号、例えば、５、１０等、が記載されていてもよい。従来のいかなる技術形態も含まれ得る。
【００２３】
図１のオプション部８は、例えば図２で示すように追加メニュー等である。これらは表示だけでもよいし、前記同様にボタンでそれぞれ選択するようになっていてもよい。なお、ボタンの場合には前述のチケットとは別にオプション部８に対応したオプションチケットが出力されるようにしてもよい。
【００２４】
図３は、本願考案の第１の実施形態（具体例２）を示す図である。第１の実施形態（具体例１）と選択種別が同じであるが、一番上の温度に関する選択種別と３番目の具の種類に関する選択種別のアイコンの順番が異なっている。例えば、温度に関する選択種別では左側から順にボタン１には温かいことを示すアイコンが表示され、ボタン１’には冷たいことを示すアイコンが表示されている。また、具の種類に関する選択種別では左側から順にボタン３には牛肉を示すアイコンが表示され、ボタン３’には豚肉を示すアイコンが表示され、ボタン３’’には鶏肉を示すアイコンが表示され、ボタン３’’’には山菜を示すアイコンが表示されている。
それ以外の点及び符号については第１の実施形態（具体例１）とほぼ同様である。
これは、顧客がよりスムーズに料理を選択しやすくするために、選択種別の中で人気のあるものを左側に配置するようにしている。
例えば、第１の実施形態（具体例１）で人気のある料理は、冷たい鶏肉そばであるのに対し、第１の実施形態（具体例２）で人気のある料理は、温かい牛肉そばである。
なお、本考案はこれらの具体例に限られるものではなく、選択種別の中で人気のあるものを右側に配置してもよいし、他の要素で配置を定めてもよく、また特に配置を定め無い形態も含むものである。
【００２５】
図４は、本願考案の第２の実施形態を示す図である。第１の実施形態が上から下へと選択したのに対し、この実施形態は左から右へと選択するようになっている。それ以外の点及び符号については第１の実施形態と同様である。
【００２６】
図５は、本願考案の第３の実施形態を示す図である。第１の実施形態が上から下へと選択したのに対し、この実施形態は右から左へと選択するようになっている。それ以外の点及び符号については第１の実施形態と同様である。
【００２７】
図６は、本願考案の第４の実施形態を示す図である。この形態はメニュー付発券機や券売機ではなく、メニューそのものである。例えば紙に印刷されたメニューであってもよく、その場合顧客はこのメニューのチェック欄７をボールペンや鉛筆等でチェックし、飲食店側でそれを回収することで注文が確定する。なお、ボタンやアイコン画像そのものに印を書き込んでも良いので必ずしもチェック欄がなくてもよい。また、紙に限らず端末やスマートフォンの表示画面に表示されるメニューであってもよい。その場合でも同様にメニューのチェック欄７をマウスまたは指の操作でチェックするか、チェック欄７を設けなくてもアイコン自体を指の操作で選択するようにして、不図示の確認ボタン等による確認で注文が確定する。なお、メニューが顧客のスマートフォンに表示される場合には、メニューを店舗に用意しなくてもよく、また、顧客のスマートフォンにお金の決済機能がある場合には、店舗でのお金のやりとりが不要になる。
なお、端末やスマートフォンの場合には前述のチケットに相当する注文情報等の記載されたメール等が顧客のメールアドレス等に送付されるようにしてもよい。
【００２８】
また、この実施形態は第１の実施形態と同様に上から下へと選択するものであるが、第２の実施形態と同様に左から右へと選択するものであっても、第３の実施形態と同様に右から左へと選択するものであってもよい。
【００２９】
図７、８及び９は、本願考案の第５実施形態である。第１の実施形態が上から下へと選択したのに対し、この実施形態は選択方法が大きく異なっている。それ以外の点及び符号については第１の実施形態と同様である。
【００３０】
図７で示すように顧客は、まず飲食メニュー上部にある選択種別を示すボタン１、ボタン１’またはボタン１’’のいずれかを選択する。ボタンには顧客がその内容を容易に理解できるように実際にはアイコンが表示されるが、図７では説明しやすいようにアイコンは表示していない。アイコンについて、例えば図８（第５の実施形態（具体例３））で示すように一番上の選択種別は温度及び店内飲食か持ち帰りかに関するものであり、左側から順に、ボタン１にはあたたかいことを示すアイコン文字が表示され、ボタン１’にはつめたいことを示すアイコン文字が表示され、ボタン１’’にはショッピング（持ち帰り）を示すアイコン文字が表示されている。アイコンのみが表示されていてもよいが、図８で示すように文字そのものをアイコン化した画像が表示されていてもよい。なお、アイコンと共にアイコンを説明する文字が記載されていてもよい。
この実施形態ではボタンは３個だが、ボタンは２個以上であればよい。ただし、いずれにしても同じ選択種別の選択範囲が横方向のみであることを認識することができるように選択種別が同じボタンは横方向に並んで配置されている。
【００３１】
ボタン１、ボタン１’またはボタン１’’の選択が終了したら、続いて、選択種別２の複数の選択肢と選択種別３の複数の選択肢をマトリクス状に合成したボタン２,３〜２’’,３’’’のいずれかを選択する。ここで、図７で示すように選択種別２の選択肢は縦に、選択種別３の選択肢は横にそれぞれ並んでマトリクス状に合成されている。これらのボタンも前記同様に顧客がその内容を容易に理解できるようにアイコン化した画像が表示されている（図８、９参照）。なお、図８、９では前記マトリクス状のアイコン表示の右側にはオプション部８のボタンが表示され、さらにその右側には注文明細や合計金額や発券ボタン等が表示され、メニューの下部には日本語表示、英語表示及び中国語表示の切換えボタン等が表示されている。
この実施形態では選択種別２の選択肢は３個で選択種別３の選択肢は４個なのでボタンは１２個であるが、それぞれの選択肢は２個以上あればよく、そうするとボタンは４個、６個、９個、１２個、１６個〜、とマトリクス数に準じた数となる。
なお、図８はボタン1（あたたかい）を押した状態でのアイコン表示であり、図９はボタン１’（つめたい）を押した状態でのアイコン表示である。このように選択種別１の選択によって、選択種別２及び選択種別３等のアイコン表示を変更してもよいし、変更しなくてもよい。
【００３２】
ボタン２,３〜２’’,３’’’の選択及び必要に応じてオプション部８等のボタンの選択が終了したら、表示された金額以上を不図示の投入口に入れ、図８、９に示されたようなオプション部８の右側に表示された選択商品や金額の確認を行った後、発券ボタンを押すとお釣りと共にチケットが出力され注文が確定するように構成されている。
なお、発券ボタンを設けずに投入金額が購入金額を上回った時点でお釣りと共にチケットが出力され注文が確定するように構成されていてもよい。
なお、図８、９ではオプション部の右側に注文明細や合計金額等や発券ボタン等が配置されているが、これとは異なった場所に配置されていてもよい。
また、本考案の実施形態は前述のようなお金のやり取りを行う券売機だけでなく、お金のやり取りを行わない発券機や飲食メニューそのものも含むものである。
【００３３】
チケットには、注文したボタンの組み合わせ、例えば「温そば牛肉」、「冷うどん山菜」等、が記載されてもよいし、注文番号、例えば、５、１０等、が記載されていてもよい。従来のいかなる技術形態も含まれ得る。
【００３４】
図７のオプション部８は、例えば図８、９で示すように追加メニュー等である。これらは表示だけでもよいし、前記同様にボタンでそれぞれ選択するようになっていてもよい。  
なお、ボタンの場合には前述のチケットとは別にオプション部８に対応したオプションチケットが出力されるようにしてもよい。
【００３５】
なお、本願考案の実施形態での選択種別は３個であったが、選択種別の数は２個、４個、５個、６個等複数であれば何個でもよい。ただし、その個数毎に前述のような複数の選択肢（アイコン化した画像）を用意する必要がある。
なお、いずれの実施形態も最後の選択種別の選択肢を選択するまで（確認ボタンがあるものについては確認ボタンが押されるまで）は以前に選択したものを修正することができるように構成されている。例えば、アイコンボタン長押しするとそのアイコンでの選択がキャンセルされ、それと同じ選択種別の中で再選択できるように構成する等が考えられる。
また、実施形態のアイコン形状は円であるが、それ以外に楕円、正方形、長方形や星形等いかなる形状でもよく、特に端末やスマートフォンの表示画面の場合には角が丸い形状の四角等が望ましい。
なお、アイコンが選択されると、それ自体が光ったり、色や画像が変わったりすると使用勝手がよくなる。
また、アイコンを選択する際にその選択対象となる選択種別に属する全てのアイコンが点灯または点滅したりするとさらに使用勝手がよくなる。
なお、お金を投入する順番は上記実施形態に限らず、どの時点でもよく、例えば最初にお金を投入してからボタン１等の選択をするように構成してもよいし、確認ボタンや発券ボタンを押す前や押した後にお金を投入するように構成してもよいし、どの時点でもよいように構成してもよい。本考案は従来の形態の全てを含むものである。
【００３６】
下記の構成の場合には全ての料理の金額が同じため、顧客は料理の選択に集中することができ、またお金のやりとりに伴う機器構成が簡易になるので製造コストや故障等も少なく、利用もしやすくなる。
【００３７】
全ての情報が一面に表示された飲食メニュー付きの固定料金用券売機であって、複数の選択種別が上から下に区分され、それぞれの選択種別毎に複数の選択肢をアイコン化した複数の画像が横方向に並んで表示され、顧客は上方向から下方向へと選択種別毎に一つの画像を順番に選択した後、表示された金額以上の金額を入れると、お釣りと共にチケットが出力されて注文が完了することを特徴とする飲食メニュー付固定料金用券売機。
【００３８】
さらに下記の構成の場合にはお金のやりとりは別途チケット発券の前後や食事後に行うことになるが、料理を選択する際にお金のやりとりが無い分、顧客は料理の選択に集中することができ、また装置全体をシンプルに製造することができ、製造コストや故障等も少なく、利用しやすくなる。
【００３９】
全ての情報が一面に表示された飲食メニュー付きの固定料金用発券機であって、複数の選択種別が上から下に区分され、それぞれの選択種別毎に複数の選択肢をアイコン化した複数の画像が横方向に並んで表示され、顧客は上方向から下方向へと選択種別毎に一つの画像を順番に選択した後、チケットが出力されて注文が完了することを特徴とする飲食メニュー付固定料金用発券機。
【００４０】
さらに下記の構成の場合には顧客は料理の選択に集中することができ、メニューも回収され、顧客がメニューを外部に持ち出したり、古いメニューが置きっぱなしだったりということを無くすことができる。また、発券機や券売機等の装置が不要なので装置に起因する故障等もなく全体コストも少なくなり、利用しやすくなる。
【００４１】
全ての情報が一面に表示された固定料金用飲食メニューであって、複数の選択種別が上から下に区分され、それぞれの選択種別毎に複数の選択肢をアイコン化した複数の画像が横方向に並んで表示され、顧客が上方向から下方向へと選択種別毎に一つの画像を順番に選択した後、回収することで注文が完了することを特徴とする固定料金用飲食メニュー。
【符号の説明】
【００４２】
１        選択種別１の選択肢（アイコンまたはそれが表示されたボタン）
１’      選択種別１の選択肢（アイコンまたはそれが表示されたボタン）
１’’    選択種別１の選択肢（アイコンまたはそれが表示されたボタン）
２        選択種別２の選択肢（アイコンまたはそれが表示されたボタン）
２’      選択種別２の選択肢（アイコンまたはそれが表示されたボタン）
２’’    選択種別２の選択肢（アイコンまたはそれが表示されたボタン）
３        選択種別３の選択肢（アイコンまたはそれが表示されたボタン）
３’      選択種別３の選択肢（アイコンまたはそれが表示されたボタン）
３’’    選択種別３の選択肢（アイコンまたはそれが表示されたボタン）
３’’’  選択種別３の選択肢（アイコンまたはそれが表示されたボタン）
４        金額表示部及び確認ボタン
５        チケット排出口
６        選択種別１から選択種別２へと向かう矢印
６’      選択種別２から選択種別３へと向かう矢印
６’’    選択種別３から支払金額へと向かう矢印
７        チェック欄
８        オプション部
【図１】
0003217743.tif 000003
【図２】
0003217743.tif 000004
【図３】
0003217743.tif 000005
【図４】
0003217743.tif 000006
【図５】
0003217743.tif 000007
【図６】
0003217743.tif 000008
【図７】
0003217743.tif 000009
【図８】
0003217743.tif 000010
【図９】
0003217743.tif 000011